(57)【要約】【課題】音楽の種類あるいは鑑賞者の好みに合わせて音質の連続調整が可能なヘッドホンを提供すること。【解決手段】内部にスピーカユニット１３を収容したハウジング５，６の一部にハウジングを貫通する音質調整用穴１０を設け、音質調整用穴１０の部分に音質調整機構１２を設ける。音質調整機構１２は、ハウジング５，６の外部に配置された操作ツマミ２０と、ハウジング５，６の内部に配置され、操作ツマミ２０と連動して音質調整用穴１０の開度を連続的に調整する音質調整板２１とを含む。【選択図】図３
0003107718.tif 000002
【実用新案登録請求の範囲】
【請求項１】
内部にスピーカユニットを収容したハウジングの一部に該ハウジングを貫通する音質調整用穴を設け、
該音質調整用穴の部分に音質調整機構を設け、
該音質調整機構は、前記ハウジングの外部に配置された操作ツマミと、前記ハウジングの内部に配置され、操作ツマミと連動して前記音質調整用穴の開度を連続的に調整する音質調整板とを含む
ことを特徴とするヘッドホン。
【請求項２】
内部にスピーカユニットを収容したハウジングの一部に該ハウジングを貫通する音質調整用穴を設け、
該音質調整用穴の部分に音質調整機構を設け、
該音質調整機構は、前記ハウジングの外部に配置された操作ツマミと、前記ハウジングの内部に配置され、操作ツマミと連動して前記音質調整用穴の開度を連続的に調整する音質調整板とを含み、
前記操作ツマミは、円盤状部と、該円盤状部の裏面の中心から突出して一体形成されたボスと、該円盤状部の外周から突出するストッパとを有し、
前記円盤状部の表面には、複数の貫通孔が形成されると共に、前記ストッパの位置に合わせて矢印状指標部が形成されており、
前記ボスには、前記ハウジングに設けられた取付穴を介して前記音質調整板が固定され、
前記ストッパは、前記ハウジングの表面に形成された円弧状溝にスライド可能に嵌合しており、
前記操作ツマミは、前記矢印状指標部に合うように前記ハウジングに設けられた基準線の位置から、前記円弧状溝の端部に前記ストッパが当接するまでの所定の角度だけ回動可能になっており、
前記音質調整板は、前記操作ツマミに連動する回動によって、前記ハウジングの音質調整用穴との重なり具合が変わり、前記音質調整用穴の開度を連続的に調整するように、前記ハウジングの音質調整用穴に対応する位置に設けられた音質調整用穴を有する
ことを特徴とするヘッドホン。
【請求項３】
請求項１または２記載のヘッドホンにおいて、
前記ハウジングに取り付けられるパッドをさらに含み、
前記ハウジングは、前記音質調整機構が設けられる第１ハウジング部材と、該第１ハウジング部材に結合され、スピーカユニットが設けられる円板状の第２ハウジング部材とからなり、
前記第２のハウジング部材における円板外周の一部に切欠部が形成されている
ことを特徴とするヘッドホン。
【考案の詳細な説明】
【技術分野】
【０００１】
本考案は、ヘッドホンに関し、特に音質の連続調整が可能なヘッドホンに関する。
【背景技術】
【０００２】
ヘッドホンのうち、バンドで頭部の両耳部分に装着する構造のものは、音質に優れ、また長時間の使用にもなじむことから、音楽鑑賞などに使用されることが多い。この種のヘッドホンの一般的な構造は、合成樹脂等の成形品からなるハウジングの片側周辺部分に、内部にウレタン等のクッション材を入れたパッドを取り付けたものとなっている。この構造は、左右両耳用に全く同一になっており、これら２個のユニットをバンドで結合している。
【０００３】
ところで、再生周波数のうち、特に低域、それも重低音領域の音を考えると、ハウジング内部を密閉構造とした場合と、その一部に外部との連通孔を設けた場合とで、発生音圧レベルに相違があることが究明されている。そこで、ハウジングの外部に連通する孔を設け、この孔を音楽の種類あるいは鑑賞者の好みに合わせて開閉する機構が考えられ、実用化されている。
【０００４】
従来のヘッドホンの音質切替機構として、実開平５−１８１９３号公報に開示されているものがある。
【０００５】
図７は、上述の公開公報に開示されているヘッドホンの音質切換機構を示す断面図である。同図において、ハウジング１０１の内部には、スピーカ部（スピーカユニット）１０２が収容されている。ハウジングの図示しない下方部分外周には、パッドが取り付けられて耳当て部に形成される。ハウジング１０１の一部は、凹部１０３に形成されており、ここに２つの突部１０４，１０５が所定間隔離して設けられ、それぞれの外周部には、金属製のリング１０６，１０７が装着されている。二つの凸部１０４，１０５のうちの片方の凸部１０５には、ハウジングの内外を連通する孔１０８が設けられている。シーソースイッチ１０９は、図示しない構造によりハウジング１０１に支持された軸１１０を中心にして回動するものである。このシーソースイッチ１０９の下面のハウジング１０１の凸部１０４，１０５に対応する部分には、マグネット１１１，１１２が装着されている。シーソースイッチ１０９の両端部は、押釦部１１３，１１４に形成されており、使用者がこの部分を指で押すようになっている。
【０００６】
このような構成のヘッドホンでは、低域特性を変えようとする場合、シーソースイッチ１０９の押釦部１１３，１１４のいずれかを押してリング１０６とマグネット１１１、あるいはリング１０７とマグネット１１２を吸着させることになる。図示する状態は、リング１０７とマグネット１１２が吸着したところであり、蓋部材として機能するシーソースイッチ１０９により、ハウジング１０１に設けられた孔１０８が閉ざされたところである。この場合、ヘッドホンとしては、ハウジング１０１が密閉型となった状態の音を発することになる。
【０００７】
次に、シーソースイッチ１０９の押釦部１１３を押すと、今度はリング１０６とマグネット１１１が吸着し、マグネット１１２は、リング１０７から離脱する。これにより、ハウジング１０１の孔１０８は、外部に開口するので、ハウジング１０１は非密閉型となり、それに応じた音質の音を発生することになる。
【特許文献１】実開平５−１８１９３号公報
【考案の開示】
【考案が解決しようとする課題】
【０００８】
しかしながら、上述の構造のヘッドホンでは、孔１０８の開閉によって二通りの音質を得る音ができるが、二通りの音質だけでは、音楽の種類あるいは鑑賞者の好みに十分に合わせることは困難である。
【０００９】
そこで、本考案の目的は、上述の課題に鑑みて、音楽の種類あるいは鑑賞者の好みに合わせて音質の連続調整が可能なヘッドホンを提供することにある。
【課題を解決するための手段】
【００１０】
上記課題を解決するためになされた請求項１記載の考案のヘッドホンは、内部にスピーカユニットを収容したハウジングの一部に該ハウジングを貫通する音質調整用穴を設け、該音質調整用穴の部分に音質調整機構を設け、該音質調整機構は、前記ハウジングの外部に配置された操作ツマミと、前記ハウジングの内部に配置され、操作ツマミと連動して前記音質調整用穴の開度を連続的に調整する音質調整板とを含むことを特徴とする。
【００１１】
上記課題を解決するためになされた請求項２記載の考案のヘッドホンは、内部にスピーカユニットを収容したハウジングの一部に該ハウジングを貫通する音質調整用穴を設け、該音質調整用穴の部分に音質調整機構を設け、該音質調整機構は、前記ハウジングの外部に配置された操作ツマミと、前記ハウジングの内部に配置され、操作ツマミと連動して前記音質調整用穴の開度を連続的に調整する音質調整板とを含み、前記操作ツマミは、円盤状部と、該円盤状部の裏面の中心から突出して一体形成されたボスと、該円盤状部の外周から突出するストッパとを有し、前記円盤状部の表面には、複数の貫通孔が形成されると共に、前記ストッパの位置に合わせて矢印状指標部が形成されており、前記ボスには、前記ハウジングに設けられた取付穴を介して前記音質調整板が固定され、前記ストッパは、前記ハウジングの表面に形成された円弧状溝にスライド可能に嵌合しており、前記操作ツマミは、前記矢印状指標部に合うように前記ハウジングに設けられた基準線の位置から、前記円弧状溝の端部に前記ストッパが当接するまでの所定の角度だけ回動可能になっており、前記音質調整板は、前記操作ツマミに連動する回動によって、前記ハウジングの音質調整用穴との重なり具合が変わり、前記音質調整用穴の開度を連続的に調整するように、前記ハウジングの音質調整用穴に対応する位置に設けられた音質調整用穴を有することを特徴とする。
【００１２】
上記課題を解決するためになされた請求項３記載の考案のヘッドホンは、請求項１または２記載のヘッドホンにおいて、前記ハウジングに取り付けられるパッドをさらに含み、前記ハウジングは、前記音質調整機構が設けられる第１ハウジング部材と、該第１ハウジング部材に結合され、スピーカユニットが設けられる円板状の第２ハウジング部材とからなり、前記第２のハウジング部材における円板外周の一部に切欠部が形成されていることを特徴とする。
【考案の効果】
【００１３】
請求項１記載の考案によれば、ハウジングを密閉型または非密閉型となるように連続的に調整することができる。
【００１４】
請求項２記載の考案によれば、操作ツマミを回して、高音域と低音域の間で使用者の好みに合わせて連続的に可変することができ、使用者は、操作ツマミの操作により予めハウジングを密閉型または非密閉型にし、その後音楽等を鑑賞したり、音楽等を鑑賞しながら操作ツマミを適宜な位置まで回動操作して好みの音質に変更したりすることができる。
【００１５】
請求項３記載の考案によれば、パッドのハウジングへの取り付け時、パッドの内周の一部を切欠部に引っかけ、引っかけた方向にパッド全体を回すことによって、ハウジングに容易に装着することができる。
【考案を実施するための最良の形態】
【００１６】
以下、本考案の最良の形態を図面に基づいて説明する。図１〜図６は、本考案の最良の形態に係るヘッドホンの構成を示す図であり、図１は正面図、図２は、ヘッドホン本体の分解斜視図、図３はヘッドホン本体の断面図、図４は第１ハウジング部材の分解斜視図、図５（Ａ）および（Ｂ）は第１ハウジング部材の正面図および裏面図、図６は音質調整機構の使用方法を説明する図であって、（Ａ）は音質調整前の要部断面図、（Ｂ）は音質調整ＭＡＸ状態の要部断面図、（Ｃ）は音質調整中間状態の裏面図である。
【００１７】
ヘッドホン１は、ヘッドバンド２に着脱自在に取り付けられた２つのヘッドホン本体３および４から構成されている。
【００１８】
ヘッドホン本体３および４は、左右両耳用に全く同一の構成になっている。ヘッドホン本体３および４は、合成樹脂製の第１ハウジング部材５と、この第１ハウジング部材５にネジ等で結合されてハウジングを構成する合成樹脂製の第２ハウジング部材６と、ハウジングに取り付けられるパッド７とからなる。
【００１９】
第１ハウジング部材５は、外部に露出する一方の面に凹部５ａを有しかつ他方の面にハウジングの内部空間を形成する凹部５ｂを有するように成形されている。凹部５ｂの外周付近には複数のボス５ｃが形成され、各ボス５ｃには、ネジ孔５ｄが形成されている。
【００２０】
凹部５ａには、後述する音質調整機構１２の一部としてそれぞれ作用する円弧状溝８と、取付穴９と、複数（この例では４個）の音質調整用穴１０が形成されている。４個の音質調整用穴１０は、取付穴９に対して十字形となる位置に形成されている。
【００２１】
また、凹部５ａには、一部に音質調整機構１２を取り付けるためのほぼ半円状の切欠部１１ａを有する円盤状の装飾板１１が、両面粘着テープ等の接合手段（図示しない）により取り付けられている。切欠部１１ａを形成する装飾板１１の内周には、音質調整機構１２の音質調整の基準位置を表す基準線１１ｂと音質調整のための調整方向を指示する矢印１１ｃと、最大調整位置を示す「ＭＡＸ」の文字１１ｄと印刷等の手段により設けられている。装飾板１１は、表面にカラー塗装が施され、レッド、ブルー、ブラック、ミラー、ホワイト等を選択することができる。
【００２２】
第２ハウジング部材６は、中央に開口を有するリング状に形成され、開口にはスピーカユニット１３が取り付けられている。また、リング内周付近には、第１ハウジング部材５のネジ孔５ｃに合うように位置決めされた複数のネジ貫通孔１４が形成され、外周の一部には、切欠部１５が形成されている。
【００２３】
第１ハウジング部材５と第２ハウジング部材６は、ネジ（図示しない）が第２ハウジング部材６のネジ貫通孔１４を介して第１ハウジング部材５のネジ孔５ｄに締め付けられることにより結合されて、ハウジングを構成する。結合後のハウジングにおける第１ハウジング部材５と第２ハウジング部材６の間には、パッド７を取り付けるための隙間が形成される。
【００２４】
パッド７は、中央に開口を有し、一方の面がリング状部１６ａかつ他方の面がドーナツ状部１６ｂに形成され、ドーナツ状部１６ｂの内部にウレタン等のクッション材１７が入れられている合成皮革１６と、合成皮革１６の開口を塞ぎかつリング状部１６ａとの間に溝１９を形成するように合成皮革１６に取り付けられた布１８とからなる。
【００２５】
このパッド７は、ハウジングへの取り付け時、合成皮革１６のリング状部１６ａの内周の一部を第２ハウジング部材６の切欠部１５に引っかけ、引っかけた方向にパッド７全体を回すことによって、第１ハウジング部材５と第２ハウジング部材６の隙間においてリング状部１６ａ全体を第２ハウジング部材６の外周全体に装着することができる。
【００２６】
音質調整機構１２は、操作ツマミ２０および音質調整板２１からなる。操作ツマミ２０は、わずかに凸状に湾曲した円盤状部２０ａと、円盤状部２０ａの裏面の中心から突出して一体形成されたボス２０ｂと、円盤状部２０ａの外周下端から突出するストッパ２０ｃとを有する。ボス２０ｂの先端部分は、断面四角形に形成され、その中心にネジ穴が設けられている。
【００２７】
円盤状部２０ａの表面には、複数の小さな貫通孔２０ｄが形成されている。また、表面の外周には、ストッパ２０ｃの位置に合わせて表面からわずかに隆起して矢印状指標部２０ｅが形成されていると共に、矢印状指標２０ｅを基準として外周全体にほぼ等間隔に、表面からわずかに隆起した線状指標部２０ｆが形成されている。
【００２８】
音質調整板２１は、円板の中心に、操作ツマミ２０のボス２０ｂの四角形状の先端部分に嵌合する四角形の取付穴２１ａが形成され、取付穴２１ａの周りに複数（この例では４個）の音質調整用穴２１ｂが形成されている。４個の音質調整用穴２１ｂは、取付穴２１ａに対して十字形となる位置に形成されている。
【００２９】
操作ツマミ２０は、ストッパ２０ｃが第１ハウジング部材５の凹部５ａの円弧状溝８にスライド可能に嵌合されると共に、第１ハウジング部材５の外部側からボス２０ｂの先端が第１ハウジング部材５の取付穴９に挿入されることによって取り付けられ、また、音質調整板２１は、第１ハウジング部材５の内部側から操作ツマミ２０のボス２０ｂの四角形状先端へ四角形の取付穴２１ａが嵌合され、ワッシャ付きネジ２２が取付穴２１ａを介してボス２０ｂのネジ穴に締め付けられることによって取り付けられる。
【００３０】
取り付けられた状態では、操作ツマミ２０の矢印状指標部２０ｅは、装飾板１１の基準線１１ｂに合わせられ（図５参照）、また、４個の音質調整板２１の音質調整用穴２１ｂは、それぞれ、第１ハウジング部材５の４個の音質調整用穴１０の中間に位置するように合わせられる（図６参照）。
【００３１】
また、取り付けられた操作ツマミ２０と音質調整板２１は、第１ハウジング部材５の取付穴９に対して、連動して回動可能になっている。
【００３２】
このように構成されたヘッドホン１は、その音質を音質調整機構１２によって音楽の種類あるいは鑑賞者の好みに応じて連続的に調整することができる。以下、音質調整方法について説明する。
【００３３】
音質調整前においては、操作ツマミ２０の矢印状指標部２０ｅが装飾板１１の基準線１１ｂに合っていると、音質調整用穴１０と音質調整用穴２１ｂの位置関係が完全にずれているため、ハウジングは密閉型になっている。
【００３４】
音質調整時、操作ツマミ２０の矢印状指標部２０ｅまたは線状指標部２０ｆに指先を押し付けるかまたは爪を引っかけて、操作ツマミ２０を時計回りまたは反時計回りに回動させると、操作ツマミ２０と連動して音質調整板２１も回動し、音質調整板２１の音質調整用穴２１ｂと第１ハウジング部材５の音質調整用穴１０の位置関係が変わる。それにより、音質調整用穴１０の開度が音質調整用穴２１ｂの位置に応じて変わり、ハウジングは密閉型から非密閉型に変わるように連続的に調整される。
【００３５】
図６（Ａ）は、音質調整前の状態を示し、操作ツマミ２０の矢印状指標部２０ｅが装飾板１１の基準線１１ｂに合っており、音質調整用穴１０は音質調整板２１でふさがれて、ハウジングは密閉型となっている。この状態では、再生周波数の低域が押さえられ、薄く鋭いナチュラルな高音域の音が強調されて再現される。
【００３６】
図６（Ｂ）は、音質調整ＭＡＸの状態を示し、音質調整用穴１０は音質調整用穴２１ｂと完全に一致して全開され、ハウジングは非密閉型となっている。この音質調整ＭＡＸ状態は、操作ツマミ２０を、基準線１１から矢印状指標部２０ｅを時計回りまたは反時計回りに所定角度、すなわち４５度回した時に、ストッパ２０ｃが円弧状溝８の端部に当接することにより発生する。この状態では、再生周波数の重低音領域の音圧レベルが最大に上がって、重低音が強調されて再現される。
【００３７】
図６（Ｃ）は、音質調整中間状態を示し、音質調整用穴１０は音質調整用穴２１ｂの一部と重なって半開状態となる。この音質調整中間状態は、操作ツマミ２０を回した時に、音質調整ＭＡＸ状態になるまでの途中の段階で発生する。この状態では、音質調整用穴１０と音質調整用穴２１ｂの重なり具合が変わることによって、高音域と低音域の間で使用者の好みに合わせて音質を連続的に可変することができる。
【００３８】
したがって、使用者は、操作ツマミ２０の操作により予めハウジングを密閉型または非密閉型にし、その後音楽等を鑑賞したり、音楽等を鑑賞しながら操作ツマミ２０を適宜な位置まで回動操作して好みの音質に変更したりすることができる。
【００３９】
以上の通り、本考案の最良の形態について説明したが、本考案はこれに限らず、種々の変形、応用が可能である。
【００４０】
たとえば、上述の最良の形態では、音質調整用穴１０および２１ｂはそれぞれ４個としたが、これに限らず、任意の数とすることができる。
【図面の簡単な説明】
【００４１】
【図１】本考案の最良の形態に係るヘッドホンの構成を示す正面図である。
【図２】ヘッドホン本体の分解斜視図である。
【図３】ヘッドホン本体の断面図である。
【図４】第１ハウジング部材の分解斜視図である。
【図５】（Ａ）および（Ｂ）は第１ハウジング部材の正面図および裏面図である。
【図６】音質調整機構の使用方法を説明する図であって、（Ａ）は音質調整前の要部断面図、（Ｂ）は音質調整ＭＡＸ状態の要部断面図、（Ｃ）は音質調整中間状態の裏面図である。
【図７】従来のヘッドホンの音質切換機構を示す断面図である。
【符号の説明】
【００４２】
１  ヘッドホン
５  第１ハウジング部材（ハウジングの一部）
６  第２ハウジング部材（ハウジングの一部）
８  円弧状溝
９  取付穴
１０  音質調整用穴
１１ｂ  基準線
１３  スピーカユニット
２０  操作ツマミ
２０ａ  円盤状部
２０ｂ  ボス
２０ｃ  ストッパ
２０ｄ  貫通孔
２０ｅ  矢印状指標部
２１  音質調整板
２１ｂ  音質調整用穴
【図１】
0003107718.tif 000003
【図２】
0003107718.tif 000004
【図３】
0003107718.tif 000005
【図４】
0003107718.tif 000006
【図５】
0003107718.tif 000007
【図６】
0003107718.tif 000008
【図７】
0003107718.tif 000009